(57)【要約】【課題】容易に確実にシートの位置決めを行うことができ、位置決めの構造は外観から視認されず、外観品位及び作業性が良好である表示装置、及び該表示装置を備えるテレビジョン受信機を提供する。【解決手段】テレビジョン受信機のスピーカボックス１５のフロントカバー５のシート貼付部５１４の長手方向の中央部には凹部５１１が設けられている。スピーカシート６のシート６１は、周縁の一部分から突出し、シート６１の厚み方向に曲がっている凸部６１１を有する。スピーカシート６は、凹部５１１に凸部６１１が挿入された状態で、シート貼付部５１４に貼付されている。【選択図】図１５
2016066951.tif 000002
【特許請求の範囲】
【請求項１】
前側に表示面を有する表示部を備え、矩形状のシートを、被貼付部に貼付してある表示装置において、
前記シートの周縁の一部分から突出し、該シートの厚み方向に曲がっている凸部と、
前記被貼付部に設けられ、前記凸部を挿入する凹部と
を備え、
前記シートは、前記凸部が前記凹部に挿入された状態で、前記被貼付部に貼付してあることを特徴とする表示装置。
【請求項２】
前記凸部の内面に接着層が設けられ、
該接着層に剥離紙が接着されていることを特徴とする請求項１に記載の表示装置。
【請求項３】
前記剥離紙の内側の端部は、前記凸部の内側の端部から前記凸部の先端方向に偏位していることを特徴とする請求項２に記載の表示装置。
【請求項４】
スピーカを収納し、音声を通す複数の孔を有するスピーカ部を備え、
前記シートは、
網目状をなし、前記孔を覆う被覆部を有し、
前記被覆部が前記孔を覆った状態で、前記スピーカ部に貼付してあることを特徴とする請求項１から３までのいずれか１項に記載の表示装置。
【請求項５】
請求項１から４までのいずれか１項に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、前側に表示面を有する表示部を備え、矩形状のシートを貼付してある表示装置、並びに該表示装置を備えるテレビジョン受信機に関する。
【背景技術】
【０００２】
例えば液晶テレビジョン受信機等のテレビジョン受信機（以下、ＴＶ受信機という）は、前側で映像を表示する表示パネル、及び表示パネルの後側に光を照射するバックライトユニットを有する表示モジュールと、表示モジュールの前後を挟むようにして収容するフロントキャビネット及びリアキャビネットと、表示モジュールの下側に取り付けられたスピーカ部と、スタンドとを備える。表示モジュールは、全体として横長の略直方体状をなし、縦姿勢でフロントキャビネット及びリアキャビネットに収容されている。
【０００３】
スピーカ部は表示モジュールと同一の横幅を有する。スピーカ部は、スピーカユニットを、接合されたフロントカバー及びリアカバーに収容してなる。
フロントカバーの正面には、複数の微小孔を有し、音声を通過させるとともに、スピーカユニットを保護し、表示モジュールの下側を装飾するスピーカシート（以下、ＳＰシートという）が貼付されていることがある。
【０００４】
ＳＰシートは、合成樹脂製の矩形（短冊状）のシートの一面に、両面テープ等の接着層、及び該接着層に接着された剥離紙を設けてなる。ＳＰシートはフロントカバーの表面に位置決めした後、剥離紙を接着層から剥離して、フロントカバーに貼付される。
ＳＰシートは、フロントカバーの長手方向の一端部にその一端部を合わせて貼付する場合、フロントカバーの他端部へ向けて貼付するときに伸びることがあり、また、シートの製造時の誤差もあり、フロントカバーの中央部にその中央部を一致させることが困難であり、外観品位が悪くなるという問題があった。そして、スペーサを介在させて貼付する必要があった。
【０００５】
ＳＰシートの中央部をフロントカバーの中央部に合わせて貼付する場合、フロントカバー側に、目印及びガイドとなる形状が必要となる。
【０００６】
特許文献１には、フロントキャビネットに、装飾シートが貼付される被貼付面の周縁の一部から外側へ出た位置で窪む位置決め凹部を設け、装飾シートの剥離紙に周縁の一部から外側へ延出され、位置決め凹部に嵌合されるべき位置決め凸部を設け、貼付時に剥離紙を剥離することにより、位置決め凸部がなくなるように構成された表示装置の発明が開示されている。
【先行技術文献】
【特許文献】
【０００７】
【特許文献１】特開２０１３−１３３４５７号公報
【発明の概要】
【発明が解決しようとする課題】
【０００８】
特許文献１の表示装置の場合、柔らかい材質からなる剥離紙の位置決め凸部を位置決め凹部に挿入し難く、位置決め凹部から抜き難く、また、切れやすく、切れた場合には切片を除く必要があり、作業性が悪いという問題があった。そして、位置決め凸部は位置決め凹部に係止されないので、ずれる場合があり、装飾シートが確実にフロントキャビネットの中央部に貼付されない虞があった。
【０００９】
本発明は斯かる事情に鑑みてなされたものであり、容易に確実にシートの位置決めを行うことができ、位置決めの構造は外観から視認されず、外観品位及び作業性が良好である表示装置、及び該表示装置を備えるＴＶ受信機を提供することを目的とする。
【課題を解決するための手段】
【００１０】
本発明に係る表示装置は、前側に表示面を有する表示部を備え、矩形状のシートを、被貼付部に貼付してある表示装置において、前記シートの周縁の一部分から突出し、該シートの厚み方向に曲がっている凸部と、前記被貼付部に設けられ、前記凸部を挿入する凹部とを備え、前記シートは、前記凸部が前記凹部に挿入された状態で、前記被貼付部に貼付してあることを特徴とする。
【００１１】
本発明に係る表示装置は、前記凸部の内面に接着層が設けられ、該接着層に剥離紙が接着されていることを特徴とする。
【００１２】
本発明に係る表示装置は、前記剥離紙の内側の端部は、前記凸部の内側の端部から前記凸部の先端方向に偏位していることを特徴とする。
【００１３】
本発明に係る表示装置は、スピーカを収納し、音声を通す複数の孔を有するスピーカ部を備え、前記シートは、網目状をなし、前記孔を覆う被覆部を有し、前記被覆部が前記孔を覆った状態で、前記スピーカ部に貼付してあることを特徴とする。
【００１４】
本発明に係るＴＶ受信機は、上述のいずれかの表示装置と、テレビジョン放送を受信する受信部とを備え、前記受信部にて受信したテレビジョン放送に基づいて、前記表示装置に映像を表示するようにしてあることを特徴とする。
【発明の効果】
【００１５】
本発明の表示装置によれば、シート（本体）の周縁の一部分から突出し、シートの厚み方向に曲がっている凸部と、被貼付部に設けられ、凸部を挿入する凹部とを備え、シートは、凸部が凹部に挿入された状態で、被貼付部に貼付するように構成されているので、容易に確実にシートの位置決めを行うことができ、位置決めの構造は外観から視認されず、外観品位及び作業性が良好である。
【図面の簡単な説明】
【００１６】
【図１】本発明の実施の形態１に係るＴＶ受信機の外観斜視図である。
【図２】本発明の実施の形態１に係るＴＶ受信機の正面図である。
【図３】本発明の実施の形態１に係るＴＶ受信機の背面図である。
【図４】本発明の実施の形態１に係るＴＶ受信機の側面図である。
【図５】本発明の実施の形態１に係るＴＶ受信機の下部の断面図である。
【図６】フロントカバーを正面側から見た状態を示す斜視図である。
【図７】フロントカバーの正面図である。
【図８】フロントカバーを背面側から見た状態を示す斜視図である。
【図９】図８の一部拡大図である。
【図１０】リアカバーをＴＶ受信機の正面側から見た状態を示す斜視図である。
【図１１】図１０の一部拡大図である。
【図１２】リアカバーを背面側から見た状態を示す斜視図である。
【図１３】フロントカバーにデコレーションプレートを取り付け、ＳＰシートを貼付し、スピーカユニットを内蔵した状態でフロントカバーにリアカバーを接合した状態を示す斜視図である。
【図１４】前記状態を示す正面図である。
【図１５】図１４のXV−XV線断面図である。
【図１６】ＳＰシートの平面図である。
【図１７】ＳＰシートの裏面図である。
【図１８】図１６のXIII−XIII線模式的断面図である。
【図１９】本発明の実施の形態２に係るＳＰシートの裏面図である。
【図２０】図１９のXX−XX線模式的断面図である。
【図２１】本発明の実施の形態３に係るスピーカ部の断面図である。
【図２２】本発明の実施の形態４に係るＴＶ受信機の裏面図である。
【図２３】図２２の一部拡大図である。
【図２４】端子シートの平面図である。
【図２５】図２４のXXV −XXV線模式的断面図である。
【図２６】端子シートがリアキャビネットに貼付された状態を示す模式的断面図である。
【発明を実施するための形態】
【００１７】
以下、本発明をその実施の形態を示す図面に基づいて具体的に説明する。
実施の形態１．
図１は本発明の実施の形態１に係るＴＶ受信機１の外観斜視図、図２はＴＶ受信機１の正面図、図３はＴＶ受信機１の背面図、図４はＴＶ受信機１の側面図、図５はＴＶ受信機１の下部の断面図である。
【００１８】
ＴＶ受信機１は、表示パネル２１を有する表示モジュール２と、該表示モジュール２を挟むようにして収容するフロントキャビネット３及びリアキャビネット４と、アンテナ（不図示）から放送波を受信するチューナ９と、符号化された放送波を復号するデコーダ１０と、表示モジュール２の下側に取り付けられたスピーカ部１５と、スタンド１１，１１とを備える。
【００１９】
表示モジュール２は、全体として横長の略直方体状をなし、縦姿勢でフロントキャビネット３及びリアキャビネット４内に収容されている。フロントキャビネット３は矩形枠状をなす。リアキャビネット４は、表示モジュール２の側面及び背面を覆うように箱状をなしている。リアキャビネット４には、複数の放熱スリット４０が設けられている。
スピーカ部１５は表示モジュール２と同一の横幅を有する。スタンド１１は、前後方向に延びる足部１１１と、足部１１１に垂直に設けられた支持軸１１２とを備える（図３参照）。表示モジュール２、スピーカ部１５、及びスタンド１１，１１は、互いにネジ等によって一体に結合されている。
【００２０】
図５に示すように、表示モジュール２は、表示パネル２１と、例えば３枚の光学シート２２と、導光板２３と、ＬＥＤ基板２４と、ヒートスプレッダ２５と、ＢＬ（バックライト）シャーシ２６とを備える。
【００２１】
ＢＬシャーシ２６は、表示パネル２１側が開口された略箱状をなす。ＢＬシャーシ２６に、導光板２３、ＬＥＤ基板２４、及びヒートスプレッダ２５が収納されている。ＢＬシャーシ２６の裏面に、前記チューナ９、デコーダ１０、及びＣＰＵ等を備えるメイン基板（不図示）が設けられている。
導光板２３の正面側に、光学シート２２、及び表示パネル２１が配されている。
【００２２】
導光板２３は矩形板状をなし、下記ＬＥＤからの光が下側の長側面に導入され、該光は導光板２３の主面から表示パネル２１側に向かって出射する。
ＬＥＤ基板２４は基板本体の平面に、複数のＬＥＤを実装してなり、導光板２３の前記長側面側に配されている。
【００２３】
ヒートスプレッダ２５は側面視でＬ字状をなし、ＬＥＤ基板２４が取り付けられる取付部と、ＢＬシャーシ２６の底板の内面に当接される当接部とを備える。
表示パネル２１は、カラーフィルタ基板と、液晶層と、ＴＦＴ基板と、２枚の偏光板とを有する。カラーフィルタ基板とＴＦＴ基板とはシール材を挟んで互いに貼り合わされており、その間に液晶層が注入されている。
【００２４】
スピーカ部１５は、フロントカバー５と、ＳＰシート６と、リアカバー７と、デコレーションプレート８と、スピーカユニット（不図示）とを備える。
フロントカバー５の箱部５１は側面視が縦置きの台形状をなし、正面側の垂直な面にＳＰシート６が貼付されている。リアカバー７は角箱状をなす。フロントカバー５、ＳＰシート６、及びリアカバー７は合成樹脂製であり、デコレーションプレート８は例えばアルミニウム等の金属製である。
【００２５】
以下、スピーカ部１５について詳述する。
図６はフロントカバー５を正面側から見た状態を示す斜視図、図７はフロントカバー５の正面図、図８はフロントカバー５を背面側から見た状態を示す斜視図、図９は図８の一部拡大図、図１０はリアカバー７をＴＶ受信機１の正面側から見た状態を示す斜視図、図１１は図１０の一部拡大図、図１２はリアカバー７を背面側から見た状態を示す斜視図、図１３はフロントカバー５にデコレーションプレート８を取り付け、ＳＰシート６を貼付し、スピーカユニットを内蔵した状態でフロントカバー５にリアカバー７を接合した状態を示す斜視図、図１４は前記状態を示す正面図、図１５は図１４のXV−XV線断面図である。
【００２６】
フロントカバー５は、箱部５１と、箱部５１の上側に設けられた底面支持部５３と、底面支持部５３に垂直に設けられた背面支持部５２とを備える。底面支持部５３は、表示モジュール２の底面を支持する平面部と、平面部に連設され、曲面状をなし、後述するテーパ部５１２に、連結部５１５を介し連結された曲面部とを有する。
背面支持部５２は表示モジュール２の背面を支持する。
【００２７】
箱部５１は、上下寸法が正面側に向かって漸次的に小さくなるように、上下にテーパ部５１２，５１３を有する。テーパ部５１２及び５１３の間には、垂直な方向に設けられたシート貼付部５１４を有する。すなわち、上述したように箱部５１は側面視が台形状をなす。そして、テーパ部５１２と、シート貼付部５１４との間には、段部５１０を有する。
【００２８】
段部５１０の平面の長手方向の中央部には、前記平面と同一の奥行長さを有した状態で下側に凹み、かつ正面側に開口した凹部５１１が設けられている。
【００２９】
シート貼付部５１４の裏面の中央部寄り、及び両端部寄りには、４つのリブ５４が設けられている。端部側のリブ５４に隣接して第１枠部５８が設けられ、第１枠部５８に隣接して第２枠部５７が設けられている。第２枠部５７の上板部はテーパ部５１２と共通し、第２枠部５７の下板部の根元部はテーパ部５１３に繋がっている。第１枠部５８の正面側には２つの窓部６０が設けられ、第２枠部５７の正面側には５つの窓部５９が設けられている。
【００３０】
底面支持部５３の曲面部とテーパ部５１２とを連結する垂直な連結部５１５には複数のリブ５５が設けられている。テーパ部５１３の端縁部には複数のリブ５６が設けられており、第１枠部５７の下側においては、リブ５６の上部は第１枠部５７の下板部の下面と接している。
【００３１】
リアカバー７は、２つの枠部７１を有する。枠部７１の周縁部には、合成樹脂製の緩衝材７２が設けられている。
リアカバー７の背面の両端部側には凹部７３が設けられている。凹部７３にスタンド１１の支持軸１１２が嵌められるように構成されている。
【００３２】
デコレーションプレート８は、下端部に係止部８１を有し、係止部８１（図１５参照）が段部５１０の側面に係止され、上端部の複数箇所に設けられた爪部８２が連結部５１５に設けられた嵌合孔（不図示）に嵌合された状態で、テーパ部５１２に取り付けられる。
この状態で、後述するＳＰシート６の凸部６１１が凹部５１１に挿入され、位置決めされた状態で、ＳＰシート６がシート貼付部５１４に貼付される。
そして、第１枠部５７、及び第２枠部５８にスピーカユニットの部品を嵌め込んだ状態で、フロントカバー５のテーパ部５１２の端縁部とリブ５５との間、及びテーパ部５１３の端縁部とリブ５６との間に、リアカバー７の枠部７１の周縁部を差し込み、フロントカバー５にリアカバー７を接合するように構成されている。
【００３３】
以下、ＳＰシート６について詳述する。
図１６はＳＰシート６の平面図、図１７はＳＰシート６の裏面図、図１８は図１６のXVIII-XVIII線模式的断面図である。
【００３４】
ＳＰシート６のシート６１は短冊状をなし、シート６１のシート貼付部５１４側の面に両面テープからなる接着層６２が設けられ、接着層６２には剥離紙６３が接着されている。
シート６１には、上縁の長手方向の中央部から外側（上側）へ突出し、凹部５１１に挿入される凸部６１１が一体に設けられている。シート６１の、窓部５９,６０に対応する位置には、細かい網目状をなし、窓部５９,６０を覆う被覆部６１２，６１２が設けられている。
凸部６１１の横幅は、凹部５１１の横幅より少し小さい。
【００３５】
剥離紙６３は、上縁の一部から外側（上側）へ突出し、凸部６１１に重ね合わされる凸部６３１と、下縁の一部から外側（下側）へ突出した摘み片６３２、６３２とが一体に設けられている。
摘み片６３２，６３２は凸部６３１から若干横方向へ離隔した部分に配されており、該摘み片６３２，６３２の横方向の中央部において凸部６３１を有する凸部側部分６３３と、非凸部側部分６３４とに分断するスリット６３５が剥離紙６３の長手方向と直交するように剥離紙６３に設けられている。スリット６３５は、剥離紙６３の幅方向両縁に亘って形成され、スリット６３５にて分断された一方の摘み片６３２を摘んで非凸部側部分６３４を一端側へ剥離し、他方の摘み片６３２を摘んで凸部側部分６３３を他端側へ剥離することができるように構成されている。
【００３６】
図１７及び図１８に示すように、シート６の凸部６１１の内側端部には、接着層６２に到達しない状態で切れ目（ハーフカット）６１３が設けられ、剥離紙６３の凸部６３１の内側端部には、切れ目６１３から凸部６３１の先端方向に偏位した状態で、切れ目６３６（ハーフカット）が設けられている。
切れ目６１３により凸部６１１を容易に直角に折り曲げることができるとともに、切れ目６１３と切れ目６３６とがずれているので、凸部６１１及び凸部６３１が切れることがない。
【００３７】
ＳＰシート６をシート貼付部５１４に貼付する場合、凸部６３１が接着された状態で、凸部６１１をＳＰシート６の厚み方向に折り曲げ、すなわちＳＰシート６の平面に直交する方向に折り曲げ、デコレーションプレート８が取り付けられたフロントカバー５の凹部５１１に挿入しつつ、摘み片６３２を摘んで、剥離紙６３の凸部６３１以外の部分を接着層６２から剥離し、凸部６３１が残った状態の凸部６１１を凹部５１１に係止する。
この凸部６１１の凹部５１１への係止により、ＳＰシート６がシート貼付部５１４の中央部に位置決めされる。この状態で、切れ目６１３をデコレーションプレート８の下端部に当てながら（図１５参照）、ＳＰシート６をシート貼付部５１４に貼付する。
【００３８】
ＳＰシート６の左右方向の位置決めは、凸部６１１の横方向の動きが凹部５１１により規制されることで行われ、ＳＰシート６の上下方向の位置決めは、ＳＰシート６の切れ目６１３の部分が凹部５１１に係止されることで行われる。正面からは凸部６１１は視認されず（図１３及び図１４参照）、ＳＰシート６の位置精度は良好であり、ＴＶ受信機１の外観品位は良好である。
【００３９】
そして、剥離紙のみが凸部を有する場合と比較して、容易に確実に凹部５１１に、凸部６１１及び凸部６３１を挿入することができ、容易に、精度良くシートの位置決めを行うことができる。凸部６３１を残したまま、凸部６１３を凹部５１１に挿入するので、凹部５１１に挿入するときに、他の部分に接着されることがない。従って、作業性が良好である。
また、フロントカバー５に凹部５１１を設けるのみであり、デザインを変更せずにフロントカバー５の中央部に位置決め構造を設けることができ、位置決め用の治具を作製する必要もない。
【００４０】
実施の形態２．
本発明の実施の形態２に係るＴＶ受信機は、ＳＰシート６の構成が異なること以外は実施の形態１に係るＴＶ受信機１と同様の構成を有する。
図１９は実施の形態２に係るＳＰシート６５を示す裏面図、図２０は図１９のXX−XX線模式的断面図である。図中、図１６〜図１８と同一部分は同一符号を付して詳細な説明を省略する。
ＳＰシート６５はＳＰシート６と異なり、凸部６１１の裏側に接着層６２及び凸部６３１が設けられていない。
ＳＰシート６５を作製する場合、最初に接着層６２としての両面テープを型抜きするが、この両面テープの型に凸部６１１に対応する孔が設けられている。両面テープを抜いた後にシート６１及び剥離紙６３を接着するが、凸部６１１の裏面には接着層が存在しないので、剥離紙は接着されない。従って、凸部６１１の裏側に接着層６２及び凸部６３１が存在しないことになる。
【００４１】
本実施の形態においては、凸部６１１の裏側に接着層６２が存在しないので、凸部６１１が他の部分に接着されることなく、凹部５１１に挿入することができる。
【００４２】
実施の形態３．
本発明の実施の形態３に係るＴＶ受信機は、フロントカバー５の構成が異なること以外は実施の形態１に係るＴＶ受信機１と同様の構成を有する。
【００４３】
図２１は、実施の形態３に係るスピーカ部１５を示す断面図である。
スピーカ部１５のテーパ部５１２はデコレーションプレート８を取り付けるようには構成されておらず、デコレーションプレート８の分だけ厚みを厚くしている。すなわち、デコレーションプレート８とテーパ部５１２とが一体化された構造を有する。
テーパ部５１２とシート貼付部５１４との境界部分の長手方向の中央部分には、該中央部分の正面側で開口し、前後方向に延びる凹部５１６が設けられている。
【００４４】
本実施の形態においては、ＳＰシート６は凸部６３１が接着された凸部６１１を略直角に折り曲げた状態で、凸部６１１が凹部５１６に挿入される。
本実施の形態においては、容易に確実に凹部５１１に凸部６１１を挿入することができ、容易に、精度良くＳＰシート６の位置決めを行うことができ、作業性が良好である。そして、凸部６１１が曲がった状態で凹部５１１に挿入されるので、位置決めの構造は外観から視認されず、外観品位が良好である。
【００４５】
実施の形態４．
本発明の実施の形態４に係るＴＶ受信機１２は、リアキャビネット４に端子シート１６を貼付するように構成されている。
図２２はＴＶ受信機１２の裏面図、図２３は図２２の一部拡大図、図２４は端子シート１６の平面図、図２５は図２４のXXV −XXV線模式的断面図、図２６は端子シート１６がリアキャビネット４に貼付された状態を示す模式的断面図である。
【００４６】
リアキャビネット４の図２２における右側の中央部には、端子シート１６が貼付され、端子シート１６の表面から端子４２，４３，４４が突出している。リアキャビネット４の端子シート１６を貼付する部分の上側の両端部には、後ろ側に開口し、前後方向に延びる凹部４１，４１が設けられている。
【００４７】
端子シート１６のシート１６１のシート貼付側の面には両面テープからなる接着層１６４が設けられ、接着層１６４には剥離紙１６５が接着されている。
シート１６１の上縁の両端部には、上縁から外側（上側）へ突出した凸部１６２，１６２が一体に設けられている。凸部１６２，１６２の横幅は凹部４１，４１の横幅より少し小さい。そして、シート１６１には、端子４２，４３，４４を挿通させる挿通孔１６９，１７０，１７１が設けられている。
【００４８】
剥離紙１６５は、上縁の両端部から外側（上側）へ突出し、凸部１６２，１６２に重ね合わされる凸部１６６，１６６と、下縁の一端部から外側（下側）へ突出した摘み片１６８とが一体に設けられている。
【００４９】
図２５に示すように、シート１６１の凸部１６２の内側端部には、接着層１６４に到達しない状態で切れ目１６３が設けられ、剥離紙１６５の凸部１６６の内側端部には、切れ目１６３から凸部１６６の先端方向に偏位した状態で、接着層１６４に到達する切れ目１６７が設けられている。
【００５０】
端子シート１６をリアキャビネット４に貼付する場合、凸部１６６，１６６が残った状態で、凸部１６２，１６２を端子シート１６の厚み方向に折り曲げ、すなわち端子シート１６の平面に直交する方向に折り曲げた状態で、凸部１６６，１６６が接着された凸部１６２，１６２を凹部４１，４１に挿入する。
この凸部１６２，１６２の凹部４１，４１への挿入により、端子シート１６がリアキャビネット４のシート貼付部に位置決めされた状態で、挿通孔１６９，１７０，１７１に端子４２，４３，４４を挿通し、摘み片１６８を摘んで剥離紙１６１を接着層１６４から剥離して、端子シート１６をシート貼付部に貼付する。このとき、切れ目１６７により、凸部１６６が凸部１６２上に残った状態で、凸部１６６以外の部分が剥離される。
【００５１】
本実施の形態においては、容易に確実に凹部４１，４１に凸部１６２，１６２を挿入することができ、容易に、精度良く端子シート１６の位置決めを行うことができ、作業性が良好である。そして、凸部１６２，１６２が曲がった状態で凹部４１，４１に挿入されるので、位置決めの構造は外観から視認されず、外観品位が良好である。
従って、リアキャビネット４に端子シート１６全体を嵌め込んだ状態で貼付する凹部が設けられておらず、端子シート１６の貼付部と他部とが面一であり、端子シート１６の位置決めをするのが困難である場合に特に有効である。
【００５２】
以上のように構成された本発明の表示装置（１）は、前側に表示面を有する表示部（２）を備え、矩形状のシート（６１、１６１）を、被貼付部（５１４、４）に貼付してある表示装置において、前記シートの周縁の一部分から突出し、該シートの厚み方向に曲がっている凸部（６１１、１６２）と、前記被貼付部に設けられ、前記凸部を挿入する凹部（５１１、４１）とを備え、前記シートは、前記凸部が前記凹部に挿入された状態で、前記被貼付部に貼付してあることを特徴とする。
【００５３】
本発明においては、シート（本体）の周縁の一部分から突出し、シートの厚み方向に曲がっている凸部と、被貼付部に設けられ、凸部を挿入する凹部とを備え、シートは、凸部が凹部に挿入された状態で被貼付部に貼付するように構成されているので、剥離紙が凸部を有する場合と比較して、容易に確実に凹部に凸部を挿入することができ、容易に、精度良くシートの位置決めを行うことができ、作業性が良好である。そして、凸部が曲がった状態で凹部に挿入されるので、位置決めの構造は外観から視認されず、外観品位が良好である。
【００５４】
本発明の表示装置は、前記凸部（６１１、１６２）の内面に接着層（６２、１６４）が設けられ、該接着層に剥離紙（６３１、１６５）が接着されていることを特徴とする。
【００５５】
本発明においては、凸部には剥離紙が残されているので、凹部に挿入するときに、他の部分に接着されることがない。
【００５６】
本発明の表示装置は、前記剥離紙（６３１、１６６）の内側の端部は、前記凸部（６１１、１６２）の内側の端部から前記凸部の先端方向に偏位していることを特徴とする。
【００５７】
本発明においては、凸部を容易に折り曲げることができるとともに、凸部が切れるのが抑制されている。
【００５８】
本発明の表示装置は、前記シートの前記被貼付部側の面に接着層（６２）が設けられており、前記凸部（６１１）には接着層が設けられていないことを特徴とする。
【００５９】
本発明においては、凸部には接着層が設けられていないので、凹部に挿入するときに、他の部分に接着されることがない。
【００６０】
本発明の表示装置は、スピーカを収納し、音声を通す複数の孔（５９、６０）を有するスピーカ部（１５）を備え、前記シート（６１）は、網目状をなし、前記孔を覆う被覆部（６１２）を有し、前記被覆部が前記孔を覆った状態で、前記スピーカ部に貼付してあることを特徴とする。
【００６１】
本発明においては、孔を有し、音声を通過させるとともに、スピーカユニットを保護し、表示部の下側を装飾するシートを容易に、位置精度が良好な状態で、スピーカ部の表面に貼付することができる。
【００６２】
本発明の表示装置は、前記表示部の後ろ側を覆うリアキャビネット（４）を備え、前記シート（１６）は上縁の両端部に前記凸部（１６２，１６２）を有し、前記リアキャビネットは、前記凸部を挿入する２つの凹部（４１，４１）を有することを特徴とする。
【００６３】
本発明においては、リアキャビネットの例えば端子を突出させる部分にシートを貼付する場合に、該部分にシートを嵌め込む凹部がないときに、容易に、精度良く位置決めを行うことができ、また凸部が視認されないので、外観品位が良好である。
【００６４】
本発明のＴＶ受信機（１）は、上述のいずれかの表示装置と、テレビジョン放送を受信する受信部とを備え、前記受信部にて受信したテレビジョン放送に基づいて、前記表示装置に映像を表示するようにしてあることを特徴とする。
【００６５】
本発明においては、外観品位及び作業性が良好である。
【００６６】
本発明は上述した実施の形態の内容に限定されるものではなく、請求項に示した範囲で種々の変更が可能である。すなわち、請求項に示した範囲で適宜変更した技術的手段を組み合わせて得られる実施形態も本発明の技術的範囲に含まれる。
【００６７】
例えばシートは、ＳＰシート及び端子シートに限定されるものではない。
また、ＳＰシート６において、シート６１及び剥離紙６３夫々の両端部に凸部を設け、これに対応して、フロントカバー５のシート貼付５１４に２つの凹部を設け、凸部を凹部に係止するように構成してもよい。
そして、シート貼付５１４の凹部５１１の正面側の開口部の高さを、シート６１、接着層６２、及び剥離紙６３の合計厚みより少し大きくし、凸部６１１と段部５１０の平面とが略面一になるようにし、ＳＰシートの上下方向の位置決めを、前記開口部の高さにより行うことにしてもよい。
【符号の説明】
【００６８】
１  ＴＶ受信機
２  表示モジュール
２１  表示パネル
２２  光学シート
２３  導光板
２４  ＬＥＤ基板
２６  ＢＬシャーシ
３  フロントキャビネット
４  リアキャビネット
４１  凹部
５  スピーカ部
５１  箱部
５１０  段部
５１１、５１６  凹部
５１２、５１３  テーパ部
５１４  シート貼付部
５２  背面支持部
５３  底面支持部
５９、６０  窓部
６、６５  ＳＰシート
１６  端子シート
６１、１６１  シート
６１１、１６２  凸部
６１２  被覆部
６１３、１６３  切れ目
６２、１６４  接着層
６３、１６５  剥離紙
６３１、１６６  凸部
６３２  摘み片
６３６、１６７  切れ目
６３５  スリット
９  チューナ
１０  デコーダ
【図１】
2016066951.tif 000003
【図２】
2016066951.tif 000004
【図３】
2016066951.tif 000005
【図４】
2016066951.tif 000006
【図５】
2016066951.tif 000007
【図６】
2016066951.tif 000008
【図７】
2016066951.tif 000009
【図８】
2016066951.tif 000010
【図９】
2016066951.tif 000011
【図１０】
2016066951.tif 000012
【図１１】
2016066951.tif 000013
【図１２】
2016066951.tif 000014
【図１３】
2016066951.tif 000015
【図１４】
2016066951.tif 000016
【図１５】
2016066951.tif 000017
【図１６】
2016066951.tif 000018
【図１７】
2016066951.tif 000019
【図１８】
2016066951.tif 000020
【図１９】
2016066951.tif 000021
【図２０】
2016066951.tif 000022
【図２１】
2016066951.tif 000023
【図２２】
2016066951.tif 000024
【図２３】
2016066951.tif 000025
【図２４】
2016066951.tif 000026
【図２５】
2016066951.tif 000027
【図２６】
2016066951.tif 000028